(57)【要約】【課題】  立設させた状態のまま位置ずれを防止しつつ多数の自立袋体容器をパレット上に複数段に積載できるようにして、効率良く運搬したり保管することを可能にする自立袋体容器の積載構造を提供する。【解決手段】  本発明の自立袋体容器の積載構造１０は、上面が粘着面２となった運搬用基台１の上に、上面が粘着面３となった段仕切り板４と仕切り支え５とからなる段仕切り６を少なくとも一段積み重ね、段仕切り板４によって仕切られる各段の収容部７に、底部を粘着面２，３に粘着させて複数の自立袋体容器８を並べて配置することによって構成される。運搬用基台１は例えばパレットであり、自立袋体容器８は、例えば液体又は粉体を収容したスタンディングパウチである。【選択図】      図１
2006168809.tif 000002
【特許請求の範囲】
【請求項１】
上面が粘着面となった運搬用基台の上に、上面が粘着面となった段仕切り板と仕切り支えとからなる段仕切りを少なくとも一段積み重ね、前記段仕切り板によって仕切られる各段の収容部に、底部を前記粘着面に粘着させて複数の自立袋体容器を並べて配置した自立袋体容器の積載構造。
【請求項２】
前記運搬用基台がパレットである請求項１記載の自立袋体容器の積載構造。
【請求項３】
前記自立袋体容器が、液体又は粉体を収容したスタンディングパウチである請求項１又は２に記載の自立袋体容器の積載構造。
【請求項４】
請求項１〜３のいずれかに記載の自立袋体容器の積載構造に用いる段仕切りであって、上面が粘着面となった段仕切り板と、該段仕切り板を前記自立袋体容器の高さ以上の高さに保持する仕切り支えとからなる段仕切り。
【発明の詳細な説明】
【技術分野】
【０００１】
本発明は、自立袋体容器の積載構造及び段仕切りに関し、特にスタンディングパウチ等の自立袋体容器を多数積載して運搬したり保管する際に用いる自立袋体容器の積載構造及び段仕切りに関する。
【背景技術】
【０００２】
スタンディングパウチ等の自立袋体容器は、例えば詰替用の液体や粉体等を収容する容器として用いられるものであり、使用後の廃棄を考慮した消費者の視点からは効率の良い容器である。また自立袋体容器は、陳列時や運搬・保管時等に立設した状態を保持できる形態で製品化される一方で、例えばボトル容器と比較して、上下方向或いは左右方向からの荷重を支持するのに十分な剛性や座屈強度を備えていなことから、例えばパレット上に多数積載して運搬したり保管したりする際には、一旦ダンボール箱等の包装箱に複数の自立袋体容器を詰め込み、これらの包装箱をパレット上に積み重ねて間接的に積載する方法が採用されている（例えば、特許文献１参照）。
【０００３】
また、立設した状態を保持できる自立袋体容器とは異なり、横に寝かせた状態で安定させて運搬したり保管したりする、例えばお米や樹脂ペレット等を詰めた比較的大きな袋体に対しては、これらを多段積みする際のズレを防止するために、粘着層を有するシート状或いはテープ状の面状体を介在させつつ横に寝かせて積み重ねることにより、これらの袋体を一体物として移動できるようにした技術も開示されている（例えば、特許文献２参照）。
【特許文献１】特表２００３−６３６５６３号公報
【特許文献２】実開平６−１２３０３号公報
【発明の開示】
【発明が解決しようとする課題】
【０００４】
しかしながら、スタンディングパウチ等の自立袋体容器をダンボール等の包装箱に詰めて例えばパレット上に積載する場合には、収容される自立袋体容器自体には荷重を支持する耐力がないため、例えば厚肉で強度の強いダンボール箱を用いたり、荷重を支える機能を兼ね備える多くの仕切板を包装箱の内部に設置するなどによって、強固且つ複雑な構造の包装箱とする必要を生じることになる。また包装箱に詰め込む作業や、例えば陳列時に包装箱から取り出す作業が必要になって、効率良く多数の自立袋体容器を取り扱うことができるように積載することは困難である。
【０００５】
また、立設した状態を保持できる自立袋体容器を横に寝かせて積載したり、保管したりするのは非効率的であると共に、横に寝かせると安定性に欠けるため何段にも積み重ねて積載することは困難であることから、立設させた状態のまま位置ずれを防止しつつ多数の自立袋体容器を例えばパレット上に複数段に積載できるようにすることが望ましい。
【０００６】
本発明は、立設させた状態のまま位置ずれを防止しつつ多数の自立袋体容器を例えばパレット上に複数段に積載できるようにして、効率良く運搬したり保管することを可能にする自立袋体容器の積載構造、及び該積載構造に用いる段仕切りを提供することを目的とする。
【課題を解決するための手段】
【０００７】
本発明は、上面が粘着面となった運搬用基台の上に、上面が粘着面となった段仕切り板と仕切り支えとからなる段仕切りを少なくとも一段積み重ね、前記段仕切り板によって仕切られる各段の収容部に、底部を前記粘着面に粘着させて複数の自立袋体容器を並べて配置した自立袋体容器の積載構造を提供することにより、上記目的を達成したものである。
【０００８】
また、本発明は、上記自立袋体容器の積載構造に用いる段仕切りであって、上面が粘着面となった段仕切り板と、該段仕切り板を前記自立袋体容器の高さ以上の高さに保持する仕切り支えとからなる段仕切りを提供することにより、上記目的を達成したものである。
【発明の効果】
【０００９】
本発明の自立袋体容器の積載構造及び段仕切りによれば、立設させた状態のまま位置ずれを防止しつつ多数の自立袋体容器を例えばパレット上に複数段に積載できるようにして、効率良く運搬したり保管することができる。
【発明を実施するための最良の形態】
【００１０】
図１に示す本発明の好ましい一実施形態に係る自立袋体容器の積載構造１０は、自立袋体容器８として、例えば詰替用の液体洗剤を収容したスタンディングパウチを、運搬用基台としてのパレット１上に多段（複数段）に積み重ねるようにして積載して、効率良く運搬したり保管することができるようにするために採用されたものである。
【００１１】
ここで、運搬用基台としてのパレット１は、これの上方に積載物を複数段に載置して、一体として持ち上げたり、トラック等に積み込んで運搬したり、或いは保管したりする際の利便性に優れた公知の運搬台であって、積載物をパレット１上に直接積載して取り扱うことにより、最適の積載効率を得ることができ、保管時や移動時等におけるエネルギー効率等に多くのメリットがあることが知られている。一方、スタンディングパウチ等の自立袋体容器８は、自立させた状態でのパレット１への積載には不向きな商品であるとされてきた。本実施形態の積載構造１０は、特殊な構造の段仕切り６を用いることにより、無駄なダンボール包装等を要することなく、且つ自立袋体容器８の形態にとらわれることなく、荷崩れしない安定した状態で、多数の自立袋体容器８の効率的なパレット積みを可能にするものである。
【００１２】
本実施形態の自立袋体容器の積載構造１０は、上面が粘着面２となったパレット１の上に、上面が粘着面３となった段仕切り板４と仕切り支え５とからなる段仕切り６を少なくとも一段、好ましくは複数段積み重ね、段仕切り板４によって仕切られる各段の収容部７に、底部を粘着面２，３に粘着させて複数の自立袋体容器８を並べて配置することによって構成される。
【００１３】
本実施形態では、パレット１は、上述のように、取り扱いやすく利便性に優れた平面形状が矩形の公知の運搬台であって、例えばフォークリフトのフォークの差し込み口１ａ等を備えている。またパレット１の上面は、例えば粘着性を有するシート材料を敷設したり、粘着剤を塗布することによって、粘着面２となっている。
【００１４】
パレット１の上に積み重ねられる段仕切り６は、図２にも示すように、パレット１の平面形状と略同様の矩形の平面形状を備える段仕切り板４と、例えば段仕切り板４の角部及び各辺部の中間部分から下方に突出するようにして設けられた、例えば棒状部材からなる仕切り支え５とによって構成される。段仕切り板４は、仕切り支え５によって支持されることにより、段仕切り６が正立状態で設置された際に、段仕切り６の載置面から自立袋体容器３の高さ以上の高さに保持される。これによって、段仕切り６が積み重ねるようにして載置されるパレット１の上面、或いは下段の段仕切り板４の上面と、各段仕切り板４の下面との間には、複数（多数）の自立袋体容器８を容器群として縦横に並べて配置することが可能な収容部７が各々形成される。また、最上段に配置される段仕切り６を除いて、各段仕切り６の段仕切り板４の上面は、例えば粘着性を有するシート材料を敷設したり、粘着剤を塗布することにより、粘着面３となっている。
【００１５】
ここで、パレット１の上面の粘着面２や、段仕切り板４の上面の粘着面３に粘着性を付与する粘着剤としては、例えばゴム系樹脂やゴム系混合物等を使用することができる。また、例えばエーテル系ポリウレタン樹脂、ポリアミド系樹脂、スチレン−エチレン系樹脂、ブチレン−スチレン系樹脂、スチレン−エチレン／ブチレン−スチレンブロック共重合体やこの共重合体とナフテン系との混合物等を用いることができる。さらに、常温粘着性を有する溶液タイプ、エマルジョンタイプ、ホットメルトタイプの粘着剤や、アクリル系、ゴム系、ウレタン系、シリコーン系の粘着剤を用いることもできる。これらの粘着剤は、表面が汚れた場合、水やアルコール等で洗浄することで、その粘着性を回復させることができるため、長期に使用することができる。
【００１６】
なお、パレット１の粘着面２や段仕切り板４の粘着面３の粘着力は、粘着した自立袋体容器８が運搬中の振動等によって倒れたり移動することなく収容時の並べられた状態を保持すると共に、自立袋体容器８を容易に引き剥がすことができる程度の弱粘着性の粘着力となっていることが好ましい。また粘着面２，３の粘着力や離脱力は、自立袋体容器８の形態等に応じて適宜設定することができ、例えば底面において接触面積を得にくい形態の自立袋体容器８については、容器８の安定化のために粘着力を強めにする。逆に、底面がフラットで、粘着面２，３との接触面積が大きい場合には、粘着力そのものを低減したり、粘着性を有さない粉末を用いて粘着力を調整したり、粘着面２，３に凹凸を設けて、容器８の底面との接触面積を低減させる等、各種の手段によって粘着力や離脱力を調整することができる。
【００１７】
また、段仕切り６の段仕切り板４としては、パレット１の大きさや、パレット１の上に積み重ねられる段仕切り６による収容部７の段数等を考慮して、たわみが発生しない十分な剛性や強度を保有するように、その材質や厚さ等を適宜選定して使用する。
【００１８】
本実施形態では、パレット１の上に段仕切り６を積み重ねることによって形成された各段の収容部７には、図１に示すように、各々複数（多数）の自立袋体容器８が縦横に並べて密着配置されると共に、複数段に積載された状態で収容される。すなわち、例えば粘着面２となったパレット１の上面に、上方に載置される段仕切り６の仕切り支え５の配設位置を回避しつつ、複数の自立袋体容器８を、底部を粘着面２に粘着させながら自立させた状態で容器群として縦横に並べて密着配置し、しかる後に、これらの容器群の上方を段仕切り板４によって覆うようにして段仕切り６を取り付ける。さらに、取り付けた段仕切り６の粘着面３となった段仕切り板４の上面に、同様にして複数の自立袋体容器８を、底部を粘着面３に粘着させながら自立させた状態で容器群として縦横に並べて密着配置すると共に、さらに上方に段仕切り６を取り付ける。このような作業を必要段数繰り返した後に、例えば最上段の容器群を覆って段仕切り板４の上面が粘着面となっていない段仕切り６を取り付けることにより、本実施形態の積載構造１０が得られる。
【００１９】
得られた積載構造１０は、タンボール箱等を介することなく多数の自立袋体容器８をパレット１に直接積載した状態で、例えばフォークリフトやトラック等を用いて、製品製造工場や製品の販売店等において効率良く運搬されたり保管されたりすることになる。また本実施形態では、得られた積載構造１０は、好ましくはパレット１を含めた全体を例えばストレッチフィルムからなる梱包シート９を用いて梱包することにより、例えば異物が混入しないように強固に保護された状態で、運搬や保管に供することもできる。
【００２０】
したがって、本実施形態によれば、粘着面２を備えるパレット１の上に、粘着面３を備える段仕切り板４と仕切り支え５とからなる段仕切り６を複数段（図１では５段）積み重ね、段仕切り板４によって仕切られる各段の収容部７に、複数の自立袋体容器８を粘着面２，３に粘着させつつ並べて配置するので、立設させた状態のまま位置ずれを防止しつつ、多数の自立袋体容器８をパレット１上に複数段に積載できるようにして、効率良く運搬したり保管することが可能になる。
【００２１】
本実施形態では、最上段の段仕切り６の段仕切り板４の上には自立袋体容器８を配置していない。  このように、自立性袋体容器８が段仕切り６に囲まれた収容部７に収容されていることで、収容・運搬時の落下物等との接触を回避できる。
【００２２】
最上段の段仕切り６の段仕切り板４の上を収容部７とし、自立袋体容器８を配置することもできる。この場合は自立袋体容器８を並べて配置する段数を段仕切り６の段数より一段増やすことが出来、収容部７を段仕切り６より１段多く設けることが出来るので、少ない段仕切り６で多くの自立袋体容器８を収容・運搬でき効率が良い。このような形態をとると、例えば、図１のように段仕切りを５段積んだ際に自立袋体容器８を６段積むことが出来る。また、段仕切りを１段とした場合、自立袋体容器８を２段積むことが可能になる。
【００２３】
また、本実施形態によれば、パレット１や段仕切り板４によって強固に上下が仕切られた各収容部７に複数の自立袋体容器８が収容されるので、自立袋体容器８の形態を破損させることなくスタンディング状態で容易に収容することが可能になると共に、物流や荷扱い時に自立袋体容器８のズレや荷崩を生じない効率的で安定した積載状態を得ることが可能になる。さらに、ボトル容器等をパレットに自動積載する標準的な装置を応用することにより、自立袋体容器８の積載の自動化を容易に図ることが可能になると共に、各収容部７における複数の自立袋体容器８の配置を任意に選択することが可能になって、自立袋体容器８の形態に応じて各収容部７に多数の自立袋体容器８を効率良く並べることが可能になる。
【００２４】
さらにまた、例えばシャンプー用のスタンディングパウチとリンス用のスタンディングパウチとをペアにしたセット商品の如く、セット化した商品を製造する際にも、ダンボール箱の開封や廃棄等の処理の必要がなくなり、作業の著しい効率化と、無駄の排除を図ることが可能になる。
【００２５】
なお、本発明は上記実施形態に限定されることなく種々の変更が可能である。例えば、積載される自立袋体容器は、詰替用の液体洗剤を収容したスタンディングパウチに限定されるものではなく、その他の液体や粉体等を収容したスタンディングパウチの他、スタンディングパウチ以外の自立可能な袋体容器であっても良い。また、上面が粘着面となった運搬用基台は、パレットである必要は必ずしもなく、上面を粘着面としたその他の運搬用の基台を用いることもでき、例えば最下段に配置した段仕切り自体を運搬用基台として用いることもできる。さらに、段仕切り板の裏面側を粘着面とし、仕切り支えを上に向けた倒立状態で各段仕切りを積み重ねるように設置して、各段仕切り板によって仕切られる複数段の収容部を形成するようにしても良い。
【図面の簡単な説明】
【００２６】
【図１】本発明の一実施形態に係る自立袋体容器の積載構造の構成を説明する略示正面図である。
【図２】本発明の一実施形態に係る段仕切りの構成を説明する斜視図である。
【符号の説明】
【００２７】
１  パレット（運搬用基台）
１ａ  差し込み口
２  パレットの上面の粘着面
３  段仕切り板の上面の粘着面
４  段仕切り板
５  仕切り支え
６  段仕切り
７  収容部
８  自立袋体容器
９  梱包シート
１０  自立袋体容器の積載構造
【図１】
2006168809.tif 000003
【図２】
2006168809.tif 000004